(57)【特許請求の範囲】
【請求項１】
原稿の搬送方向の長さ情報に応じてロール紙を切断する切断手段、及び前記切断手段によって切断された用紙に対して画像を形成する画像形成手段を含む画像形成装置と、前記画像形成装置から排紙された用紙を折る紙折り装置と、
を備えた画像形成システムにおいて、
前記画像形成装置は、
用紙サイズ、紙折り方式、綴じ代、折り幅、スタンプの有無、スタンプの位置の少なくとも１つを含む紙折りの条件を記憶する記憶手段と、
この記憶手段に記憶された紙折りの条件を前記紙折り装置側に送信し、前記紙折りの条件に基づいて前記紙折り装置で用紙を折らせる制御手段と、
指定された用紙のサイズにおける紙折りを有効にするか無効にするかの設定、その用紙サイズにおいて紙折り可能で自動的に選択表示される複数の紙折り方式における任意の折り方法の選択、紙折りに関する綴じ代幅の設定、縦横方向の折り幅の補正値の設定、スタンプの有効、無効の設定、およびスタンプを押下する位置の補正の少なくとも１つを行う条件設定手段と、
を備え、
前記紙折りの条件は、前記条件設定手段によって設定され、
前記記憶手段は、用紙サイズ及び原稿挿入方向に応じて設定された条件を記憶し、
前記制御手段は、前記用紙が前記画像形成装置より排出され前記紙折り装置に搬送される際に、前記用紙に対応した紙折りの条件を前記紙折り装置側に送信するとともに、用紙が不定の場合、折り動作を禁止することを特徴とする画像形成システム。
【請求項２】
前記画像形成装置は、前記紙折りの条件を入力する操作部と、前記操作部から入力された紙折り方式、この紙折り方式に対応する縦方向折り補正値、横方向紙折り補正値、及び綴じ代補正値の少なくとも１つを設定する設定手段とをさらに備え、
前記紙折り装置は前記画像形成装置の電源オフ前に設定された直近の補正値をバックアップするバックアップ手段をさらに備え、
前記制御手段は、前記画像形成装置および前記紙折り装置の電源オン時に、各コピー用紙サイズに対する紙折り方式と、その紙折り方式において設定された補正値を前記バックアップ手段から取得し、操作部の操作画面上に反映することを特徴とする請求項１記載の画像形成システム。
【請求項３】
前記設定手段は、スタンプ押下可能な紙折り方式が設定され、かつ、スタンプ位置補正が行われたときには、Ｘ軸方向及びＹ軸方向の補正値を設定することを特徴とする請求項２記載の画像形成システム。
【請求項４】
前記紙折り装置へ送出される紙折りの条件を用紙サイズ毎に個別に設定する手段と、
その紙折りの条件を複数記憶する手段と、
複数の紙折りの条件の組み合わせを記憶する手段と
をさらに備えていることを特徴とする請求項１ないし３のいずれか１項に記載の画像形成システム。
【請求項５】
入力される紙折りの条件と複数の紙折りの条件の組み合わせを呼び出し、その記憶内容を一覧表示する手段を備えていることを特徴とする請求項４記載の画像形成システム。
【請求項６】
原稿の搬送方向の長さ情報に応じてロール紙を切断する切断手段、及び前記切断手段によって切断された用紙に対して画像を形成する画像形成手段を含む画像形成装置と、
前記画像形成装置から排紙された用紙を折る紙折り装置と、
を備えた画像形成システムにおける紙折り方法において、
前記画像形成装置は、用紙サイズ、紙折り方式、綴じ代、折り幅、スタンプの有無、スタンプの位置の少なくとも１つを含む紙折りの条件を記憶する第１の工程と、
記憶された紙折りの条件を前記用紙折り装置側に送信し、前記紙折りの条件に基づいて前記用紙折り装置で用紙を折らせる第２の工程と、
指定された用紙のサイズにおける紙折りを有効にするか無効にするかの設定、その用紙サイズにおいて紙折り可能で自動的に選択表示される複数の紙折り方式における任意の折り方法の選択、紙折りに関する綴じ代幅の設定、縦横方向の折り幅の補正値の設定、スタンプの有効、無効の設定、およびスタンプを押下する位置の補正の少なくとも１つを行う第３の工程と、
を備え、
前記紙折りの条件を、前記第３の工程で設定し、
前記第１の工程で用紙サイズ及び原稿挿入方向に応じて設定された条件を記憶し、
前記第２の工程で、前記用紙が前記画像形成装置より排出され前記紙折り装置に搬送される際に、前記用紙に対応した紙折りの条件を前記紙折り装置側に送信するとともに、用紙が不定の場合、折り動作を禁止することを特徴とする紙折り方法。
【請求項７】
入力された紙折り方式と、この紙折り方式に対応する縦方向折り補正値、横方向紙折り補正値、及び綴じ代補正値の少なくとも１つを設定する第４の工程と、
前記画像形成装置の電源オフ前に設定された直近の補正値を前記紙折り装置側でバックアップする第５の工程と、
前記画像形成装置および前記紙折り装置の電源オン時に、各コピー用紙サイズに対する紙折り方式と、その紙折り方式において設定された補正値を前記第５の工程でバックアップされた補正値から取得し、操作部の操作画面上に反映する第６の工程と、
を備えていることを特徴とする請求項６記載の紙折り方法。
【発明の詳細な説明】
【０００１】
【発明の属する技術分野】
本発明は、ロール紙を用いて大サイズの用紙に複写を行う画像形成装置と、この画像形成装置にオンラインで接続され、画像形成装置から排出される用紙を自動的に折り込む紙折り装置とを接続してなる画像形成システムおよび紙折り方法に関する。
【０００２】
【従来の技術】
複写機、プリンタ、ファクシミリ、スキャナなどの画像形成装置おいて、画像が転写された用紙を折り込む紙折り装置を併設することが行われている。例えば画像形成装置が複写機の場合を例にとると、複写機に紙折り装置を接続し、複写機において作成されたコピー用紙を紙折り装置に導入し、複写機側操作部よりプリセットされたコピー用紙サイズ、紙折り方式、綴じ代などの折りモード条件を紙折り装置側にオンラインで送信し、その情報を元に紙折り装置側がコピー用紙の折り込みを行うようにした装置が従来より提供されている。このような紙折り装置は、１サイズの用紙において複数種類の紙折り方式が選択可能であり、更に紙折り可能な折り方法はコピー用紙サイズ毎に種類が違っている。
【０００３】
そのため、作業者はこれからコピーを取りたい用紙サイズを複写機側の換作部より選択した後、更にその用紙サイズ折り可能な折り方法を選択する必要がある。同様に綴じ代、折り込み時の縦横補正値、スタンプ有り無し、スタンプ位置等の数値も設定する必要がある。また、原稿の副走査方向が長い長尺原稿に関しては、予め副走査方向の長さを測定し、その長さを繰作部より入力することによって用紙サイズを確定する必要がある。これらの設定を行った後、コピースタート動作をさせると、複写機内にセットされているロール紙を自動的に選択し、選択されたロール給紙段よりコピーが開始される。さらに操作部よりプリセットされたコピー用紙サイズより合致したサイズになるようにロール紙が切断される。その後、定着ローラ部を通過し、紙折り装置側へコピー用紙が搬送される。操作部より設定される折りモード条件は、複写機から排出されるコピー用紙１枚毎に付随し、オンラインにより複写機側へ伝達される。また複写機操作部より入力された折りモード情報に基づき、紙折り装置が折り込み動作を行う仕組みになっている。
【０００４】
このように大型の複写機と紙折り装置とをオンラインで接続して使用される装置において紙折りを実施する場合は、操作部より入力されるコピー用紙サイズと折り方法の少なくとも２つの情報が決定されない限り、オンライン情報での紙折りは実行不可能となる。したがって、あるコピー用紙サイズとある紙折り方式の状態でのコピーが終了したあとで、給紙段などを切り替えることによりコピー用紙サイズに変更が行われた場合、再び紙折り方式とそれに付随する補正値パラメータを再設定する必要性が生じる。また複写機側での変倍率により自動的にコピー用紙サイズを選択し、コピー動作を行う場合には、変倍率によって変化する最終的なコピー用紙サイズが判明しないため紙折りモードは無効とされ、設定を拒否されてしまう。また、原稿サイズが複数種類ありその原稿サイズに伴ってコピー用紙サイズが選択される場合は、コピー用紙サイズが一定でないため、紙折り方法が確定できず、紙折りを禁止にしている。
【０００５】
したがって、コピー用紙サイズの変更を伴うコピー動作に関しては、連続してコピー後の折り込み動作を行えず、一旦コピー動作を中断した上で複写機側操作部よりコピー用紙変更処理を手動で行い、用紙サイズを決定した後、折りモードの設定を手動で行う必要があった。このことは異形サイズのコピー用紙が発生する場合でのコピー動作の中断を伴い、折り機を使用したコピー生産性の著しい低下を招く原因となっている。
【０００６】
そこで、例えば特許第２５２６９１５号公報には、複写機の制御装置に入力した用紙の幅紙質のような情報を紙折り装置に伝達する手段を設け、紙折り装置の制御装置に複写機の制御装置から伝達される用紙の情報と折り込みに際しての綴じ代のような制御条件とにしたがって折り込みモードを設定する手段と、制御条件に対応させて用紙の折り込み可能な最大長さを設定する手段と、そして複写機の制御装置に向けて紙折り装置の制御装置からの信号を伝達する手段とを設け、紙折り装置の制御装置で設定した用紙の折り込み可能な長さを越える場合に紙折り装置の制御装置からの信号により、複写機の用紙切断手段を作動させることが提案されている。
【０００７】
また、特開平１−２９８７２号公報記載の発明も公知である。この発明は、複写機と紙折り装置とをオンラインで接続し、複写機において作成されたコピーを紙折り装置で自動的に折り込みを行うように構成してなる装置において、前記複写機には原稿サイズの情報に応じてロール紙を切断する手段と、コピーを作成する手段と、制御装置に入力した用紙の幅、紙質のような情報を紙折り装置に伝達する手段とを設け、前記紙折り装置の制御装置には複写機の制御装置から伝達される用紙の情報と折り込みに際しての綴じ代のような制御条件とに従って折り込みモードを設定する手段と、前記制御条件に対応させて用紙の折り込み可能な最大長さを設定する手段と、前記複写機の制御装置に向けて紙折り装置の制御装置からの信号を伝達する手段とを設け、前記折り磯の制御装置で設定した用紙の折り込み可能な長さを越える場合に、紙折り装置の制御装置からの信号により複写機の用紙切断手段を作動させることを特徴としている。
【０００８】
【特許文献１】
特許第２５２６９１５号公報
【０００９】
【特許文献２】
特開平１−２９８７２号公報
【００１０】
【発明が解決しようとする課題】
上記の従来技術ではコピー用紙のカット処理は、複写機からコピー用紙情報を紙折り装置に一旦送信し、紙折り装置側でカット情報の可否の判断を行い、可の場合には複写機側にカット命令を送信するというように、複写機側の設定が実行可能かを紙折り装置側で判断させ、その結果を複写機側の送信するという複雑な制御を行っている。
【００１１】
また、後者の発明においては、大型の複写機と紙折り装置とをオンラインで接続して使用される装置において紙折りを実施する場合は、繰作部より入力されるコピー用紙サイズと折り方式の２つの情報によりそれに対応する綴じ代設定範囲、紙折り幅補正値設定範囲、紙折り幅補正設定刻み値、スタンプ位置挿下範囲、及び押下範囲設定刻み値が異なる。そのため、特定の紙折り方式とコピー用紙サイズの組み合わせ数と同数の補正値を設定する組み合わせがあり、特定の紙折り方法とコピー用紙サイズにおいて使用される場合においてその組み合わせが設定されるたびに目的とする紙折り補正値を入力しなければならない。
【００１２】
この入力補正値は電源投入時においては常に保持されているが、複写機または紙折り装置の電源をＯＦＦするとデータが消滅してしまう。このように電源がＯＦＦする度にデータが消滅してしまうため、再度電源オン時に紙折り補正データやスタンプ位置などの設定範囲や適正設定値などを設定する必要がある。これにより、コピー用紙サイズとその紙折りの組み合わせからなる数十種類の紙折りパターンに対し、各々の設定規制作業者はその都度設定しなければならなくなり、コピー生産性の著しい低下を招く原因となっている。すなわち、コピー用紙折りモード設定時の各種補正値の設定入力時の時間短縮、効率向上のためには全てのコピー用紙サイズに対する紙折りパターンの群、横補正値、並びに綴じ代補正値及びスタンプ位置Ｘ軸補正値Ｙ軸補正値を記憶し、電源オフ時でもその値を保持し、コピー用紙サイズと紙折り方法の組み合わせが設定されて時に、直近で入力された補正値が自動的に呼びだされ、表示させる必要がある。
【００１３】
本発明はこのような従来技術の実情に鑑みてなされたもので、その目的は、任意の用紙サイズに対して種々の条件を考慮した紙折りが自動的に行える画像形成システム及び紙折り方法を提供することにある。
【００１４】
また、他の目的は、コピー用紙折りモード設定時の各種補正値の設定入力時の時間短縮、及び処理効率の向上を図ることができる紙折り制御装置、画像形成システム及び紙折り方法を提供することに
ある。
【００１５】
さらに、他の目的は、前記紙折りを画像形成装置側からの指示のみで実行できる画像形成システムを提供することにある。
【００１６】
【課題を解決するための手段】
前記目的を達成するため、第１の手段は、原稿の搬送方向の長さ情報に応じてロール紙を切断する切断手段、及び前記切断手段によって切断された用紙に対して画像を形成する画像形成手段を含む画像形成装置と、前記画像形成装置から排紙された用紙を折る紙折り装置と、を備えた画像形成システムにおいて、前記画像形成装置は、用紙サイズ、紙折り方式、綴じ代、折り幅、スタンプの有無、スタンプの位置の少なくとも１つを含む紙折りの条件を記憶する記憶手段と、この記憶手段に記憶された紙折りの条件を前記紙折り装置側に送信し、前記紙折りの条件に基づいて前記紙折り装置で用紙を折らせる制御手段と、指定された用紙のサイズにおける紙折りを有効にするか無効にするかの設定、その用紙サイズにおいて紙折り可能で自動的に選択表示される複数の紙折り方式における任意の折り方法の選択、紙折りに関する綴じ代幅の設定、縦横方向の折り幅の補正値の設定、スタンプの有効、無効の設定、およびスタンプを押下する位置の補正の少なくとも１つを行う条件設定手段と、を備え、前記紙折りの条件は、前記条件設定手段によって設定され、前記記憶手段は、用紙サイズ及び原稿挿入方向に応じて設定された条件を記憶し、前記制御手段は、前記用紙が前記画像形成装置より排出され前記紙折り装置に搬送される際に、前記用紙に対応した紙折りの条件を前記紙折り装置側に送信するとともに、用紙が不定の場合、折り動作を禁止することを特徴とする。
【００１７】
第２の手段は、第１の手段において、前記画像形成装置は、前記紙折りの条件を入力する操作部と、前記操作部から入力された紙折り方式、この紙折り方式に対応する縦方向折り補正値、横方向紙折り補正値、及び綴じ代補正値の少なくとも１つを設定する設定手段とをさらに備え、前記紙折り装置は前記画像形成装置の電源オフ前に設定された直近の補正値をバックアップするバックアップ手段をさらに備え、前記制御手段は、前記画像形成装置および前記紙折り装置の電源オン時に、各コピー用紙サイズに対する紙折り方式と、その紙折り方式において設定された補正値を前記バックアップ手段から取得し、操作部の操作画面上に反映することを特徴とする。
【００１９】
第３の手段は、第２の手段において、前記設定手段は、スタンプ押下可能な紙折り方式が設定され、かつ、スタンプ位置補正が行われたときには、Ｘ軸方向及びＹ軸方向の補正値を設定することを特徴とする。
【００２１】
第４の手段は、第１ないし第３のいずれかの手段において、前記紙折り装置へ送出される紙折りの条件を用紙サイズ毎に個別に設定する手段と、その紙折りの条件を複数記憶する手段と、複数の紙折りの条件の組み合わせを記憶する手段とをさらに備えていることを特徴とする。
【００２２】
第５の手段は、第４の手段において、入力される紙折りの条件と複数の紙折りの条件の組み合わせを呼び出し、その記憶内容を一覧表示する手段を備えていることを特徴とする。
【００２３】
第６の手段は、原稿の搬送方向の長さ情報に応じてロール紙を切断する切断手段、及び前記切断手段によって切断された用紙に対して画像を形成する画像形成手段を含む画像形成装置と、前記画像形成装置から排紙された用紙を折る紙折り装置と、を備えた画像形成システムにおける紙折り方法において、前記画像形成装置は、用紙サイズ、紙折り方式、綴じ代、折り幅、スタンプの有無、スタンプの位置の少なくとも１つを含む紙折りの条件を記憶する第１の工程と、記憶された紙折りの条件を前記用紙折り装置側に送信し、前記紙折りの条件に基づいて前記用紙折り装置で用紙を折らせる第２の工程と、指定された用紙のサイズにおける紙折りを有効にするか無効にするかの設定、その用紙サイズにおいて紙折り可能で自動的に選択表示される複数の紙折り方式における任意の折り方法の選択、紙折りに関する綴じ代幅の設定、縦横方向の折り幅の補正値の設定、スタンプの有効、無効の設定、およびスタンプを押下する位置の補正の少なくとも１つを行う第３の工程と、を備え、前記紙折りの条件を、前記第３の工程で設定し、前記第１の工程で用紙サイズ及び原稿挿入方向に応じて設定された条件を記憶し、前記第２の工程で、前記用紙が前記画像形成装置より排出され前記紙折り装置に搬送される際に、前記用紙に対応した紙折りの条件を前記紙折り装置側に送信するとともに、用紙が不定の場合、折り動作を禁止することを特徴とする。
【００２４】
第７の手段は、第６の手段において、入力された紙折り方式と、この紙折り方式に対応する縦方向折り補正値、横方向紙折り補正値、及び綴じ代補正値の少なくとも１つを設定する第４の工程と、前記画像形成装置の電源オフ前に設定された直近の補正値を前記紙折り装置側でバックアップする第５の工程と、前記画像形成装置および前記紙折り装置の電源オン時に、各コピー用紙サイズに対する紙折り方式と、その紙折り方式において設定された補正値を前記第５の工程でバックアップされた補正値から取得し、操作部の操作画面上に反映する第６の工程と、を備えていることを特徴とする。
【００２９】
【発明の実施の形態】
以下、図面を参照し、本発明の実施形態について説明する。なお、以下の説明において、同等な各部には同一の参照符号を付し、重複する説明は省略する。
【００３０】
＜第１の実施形態＞
最初に図１により全体の概略構成を説明する。図１は本実施の形態における画像形成システムの全体構成を概略的に示す説明図である。複写機１には紙折り装置４が接続されており、複写機１は所望の画像を複写し、画像が複写されたコピー用紙を紙折り装置４に搬送するとともに、コピー用紙の送出と同時に紙折り装置４にシリアルケーブル５を介してコピー用紙サイズ、および紙折り方式、綴じ代、折り幅、スタンプの有無、スタンプの位置などの紙折り条件などを送出する。複写機１からのこれら情報にしたがって紙折り装置４は自動的に搬入されたコピー用紙の折り込みを行い得るように構成されている。
【００３１】
複写機１には、幅の広いロール紙２が収容されており、原稿のサイズ情報および用紙のサイズカット情報によって、ロール紙２を切断し、感光ドラムなどの画像転写部（図示しない）を通すことによって画像の転写を行い、定着装置３により転写された画像を定着して、大サイズのコピーを作成するようになっている。ロール紙２は、トレーシングペーパーやフィルムシートや任意の種類の用紙をロール状にしたものが使用され、複数本のロール紙２が装着可能になっている。図示していないが、ロール紙２からの用紙引き出し部と画像転写部との間に用紙カット手段などを設けて、原稿のサイズ検知などによって得られた用紙サイズにしたがってロール紙２からの用紙の切断と複写の動作とを自動的に行うように構成されている。
【００３２】
複写機１に接続される紙折り装置４は、コピー用紙の導入口を複写機本体のコピー用紙排出口に接続し、複写機１において作成されたコピー用紙を自動的に折り込みできるように構成してなるもので、その内部には、コピー用紙の長さ方向と幅方向とのそれぞれの方向に対して折り込みを行い得るような、２方向の折り込み手順が設けられている装置である。このような紙折り装置は、例えば上記従来技術の特許第２５２６９１５号公報中で述べられている特開昭６０−２３２３７２号公報や実開昭５９−８０３４６号公報に記載されているように公知なので、その詳細については省略する。そしてコピー用紙のサイズ毎に折り込み可能な折り方式が複数方式が存在し、複写機１側より送出される折り方式情報に基づき、選択された大サイズのコピー用紙を縦横方向に複数回折り込み、一定サイズの用紙サイズに折り込みできるようになっている。なお、複写機１自体は例えば電子写真方式のものが採用される。電子写真方式の複写機の構成は公知なので、ここでの図示および説明は省略する。また、電子写真方式の複写機（画像形成装置）に代えて、インクジェット、熱転写その他公知の画像形成装置を採用することもできる。
【００３３】
次に、電気的な概略構成を図２により説明する。図２はこの実施の形態における電気的な概略構成を示すブロック図である。複写機１と紙折り装置４とにそれぞれシリアル通信ユニット９と１１を設け、これらシリアル通信ユニット９と１１間をそれぞれシリアルケーブル１０により接続している。図２において左側に示す複写機１の内部構成としては、上記のシリアル通信ユニット９と、コピー用紙サイズや紙折り方式などの各設定値を入力するための操作部６と、通常の複写機の各作動機能に対するコントロールを行うためのＣＰＵ７と、通常の複写機の各機能や設定を記憶するＲＡＭやＲＯＭなどとは別に紙折り装置４の制御に関する各作動機能などを記憶するメモリ８を備え、紙折り装置４の制御装置に対する制御の伝達を行うように構成されている。
【００３４】
図２の右側に示す紙折り装置４側の内部構成も、動作信号を受信する通信ユニット１１と、紙折り装置４の各作動機構に対するコントロールを行うためのＣＰＵ１２と、メモリ１３を設け、複写機１からの制御信号に対する受信とジャム信号、排紙信号、エラー信号等の送出を行っている。このように複写機１と紙折り装置４のシリアル通信ユニット９と１１を介し、情報の相互のやりとりを実現している。この実施の形態においては複写機１から紙折り装置４に出力される情報として、例えば、用紙サイズ、紙折り方式、スタンプ有り無し、スタンプ位置、綴じ代、縦横紙折り補正値、紙折り実行有無などがあり、紙折り装置４からの情報としては紙折り装置４内でのジャム信号、エラー情報、折りカウント情報、初期画面表示情報などである。
【００３５】
本実施形態における紙折り装置４は、選択されるコピー用紙のサイズの種類および原稿挿入方向（タテ、ヨコ）によって紙折り方式がそれぞれ異なるように設定されている。コピー用紙の折りを設定するときは、複写機１の操作部６の表示部（図示しない）を紙折り設定画面にしてコピー用紙のサイズを決めた後、そのコピー用紙サイズでの可能な紙折り方式を１つ選択し、コピー動作を行う。その一例を図３により説明する。図３はコピー用紙サイズによる紙折り方式の種類の一例を表形式で示す図である。すなわち、紙折り方式としては、Ａ〜Ｈまでの８種類の紙折り方式があるものとし、コピー用紙サイズは、Ａ０のタテ、８８０幅（８８０ｍｍ幅）、Ａ１のタテ、ヨコ、Ａ２のタテ、ヨコ、Ａ３のタテの７種類とする。そして、Ａ０タイプおよび８８０幅タイプのコピー用紙に対してはそれぞれＡ、ＢおよびＣの３つの紙折り方式が設定され、Ａ１のタテタイプのコピー用紙に対してはＤ、ＥおよびＦの３つの紙折り方式が設定され、Ａ１のヨコタイプのコピー用紙に対しては上記Ｄ、ＥおよびＦの３つの紙折り方式に加えてＧの４つの紙折り方式が設定される。また、Ａ２のタテタイプのコピー用紙に対してはＤ、Ｅ、ＦおよびＨの４つの紙折り方式が設定され、Ａ２のヨコタイプのコピー用紙に対してはＡ、Ｅ、ＦおよびＧの４つの紙折り方式が設定され、Ａ３のタテタイプのコピー用紙に対してはＣ、ＦおよびＨの３つの紙折り方式が設定される。これら折り方式の選択と登録メモリが可能である。以下、折り方式が選択され、メモリしたものを紙折りモードと称することとする。
【００３６】
本実施形態では、この紙折りモードを複数登録することが可能である。その複数登録した状態の一例を図４に示す。図４はコピー用紙サイズ毎に登録された紙折りモードを表形式で示す図である。すなわち、Ａ０のタテタイプのコピー用紙に対しては、プログラム折りＮｏ．１はＡ方式、プログラム折りＮｏ．２はＢ方式そしてプログラム折りＮｏ．３は紙折りの処理は行わず装置の上方に排紙する場合（以下、上方排紙と称する）とし、８８０幅のコピー用紙に対しては、プログラム折りＮｏ．１はＡ方式、プログラム折りＮｏ．２は上方排紙そしてプログラム折りＮｏ．３はＢ方式とする。同様に、Ａ１のタテタイプのコピー用紙に対しては、プログラム折りＮｏ．１はＤ方式、プログラム折りＮｏ．２はＥ方式そしてプログラム折りＮｏ．３は上方排紙とし、Ａ１のヨコタイプのコピー用紙に対しては、プログラム折りＮｏ．１はＦ方式、プログラム折りＮｏ．２はＧ方式そしてプログラム折りＮｏ．３は上方排紙とし、Ａ２タテタイプのコピー用紙に対しては、プログラム折りＮｏ．１から３はＡ１のタテタイプと同じにしている。Ａ２のヨコタイプのコピー用紙に対しては、プログラム折りＮｏ．１はＡ方式、プログラム折りＮｏ．２はＦ方式そしてプログラム折りＮｏ．３は上方排紙とし、Ａ３タテタイプのコピー用紙に対しては、プログラム折りＮｏ．１はＣ方式、プログラム折りＮｏ．２はＦ方式そしてプログラム折りＮｏ．３はＨ方式としている。このように一度コピー用紙のサイズ毎の折り方式を１つ登録し、番号をつけたものをプログラム折りＮｏ．とし複数登録を可能とした。これによって同じコピーサイズおよび原稿挿入方向でもプログラム折りＮｏ．の切り替えによって異なる折りサイズの実行が可能となる。図３および４におけるＡ〜Ｈ方式とは紙折り方式の違いを明示した参考例である。またこれら紙折りモードの設定は複写機１の操作部６でキー入力される。
【００３７】
次に図５により紙折りモードの登録について説明する。図５は紙折りモードの設定手順を説明するためのフローチャートである。すなわち、先ずコピー用紙のサイズを設定し（ステップＡ−１）、プログラム折り登録モードが登録されているか否かをチェックする（ステップＡ−２）。プログラム折り登録モードを設定されていない場合は、図４からプログラム折りＮｏ．を選択する(ステップＡ−３）。ステップＡ−２で登録されている場合およびステップＡ−３でプログラム折りＮｏ．を選択した場合は、操作部６の表示部に図３の紙折り設定画面を開き(ステップＡ−４）、紙折り方式を選択する(ステップＡ−５）。さらに、綴じ代、スタンプ位置設定の補正値などを入力し（ステップＡ−６）、ついで紙折り設定内容を操作部６で確認する(ステップＡ−７）。なお、紙折りモードの登録内容は操作部６にて図４のような一覧表にて一括表示され状況を確認できる。
【００３８】
次に紙折り実行の際の処理を図６ないし図９により説明する。図６はどの紙折りモードが設定されているかを判断するためのフローチャート、図７はプログラムＮｏ．１の紙折りモードが選択された場合の処理を説明するフローチャート、図８はプログラムＮｏ．２の紙折りモードが選択された場合の処理を説明するフローチャート、図９はプログラムＮｏ．３の紙折りモードが選択された場合の処理を説明するフローチャートである。
【００３９】
まず、プログラム折りモードのどのＮｏ．が設定されているかを、図６のフローチャートにしたがって判断する。ずなわち、プログラム折りモードがＮｏ．１であるか否かをチェックし（ステップＢ−１）、Ｎｏ．１の場合は図７のフローチャートに沿って処理される。Ｎｏ．１でない場合は、プログラム折りモードがＮｏ．２であるか否かをチェックし（ステップＢ−２）、Ｎｏ．２の場合は図８のフローチャートに沿って処理し、Ｎｏ．２でない場合はプログラム折りモードがＮｏ．３であるか否かをチェックし（ステップＢ−３）、Ｎｏ．３の場合は図９のフローチャートに沿って処理される。Ｎｏ．３でもない場合は、通常の折りモード即ち、実行直前に設定した紙折りモードが反映される（ステップＢ−４）。
【００４０】
次にプログラムＮｏ．１が選択された場合の処理について図７のフローチャートにより説明する。まず、複写機１にて選択されているコピー用紙のサイズを判断する。すなわち、コピー用紙がＡ０のタテが選択されているか否かをチェックし（ステップＣ−１）、Ａ０のタテが選択されていない場合はコピー用紙が８８０幅を選択しているか否かをチェックする（ステップＣ−２）。８８０幅が選択されていない場合はコピー用紙がＡ１のタテが選択されているか否かをチェックし（ステップＣ−３）、Ａ１のタテが選択されていない場合はコピー用紙がＡ１のヨコが選択されているか否かをチェックする（ステップＣ−４）。Ａ１のヨコが選択されていない場合はコピー用紙がＡ２のタテが選択されているか否かをチェックし（ステップＣ−５）、Ａ２のタテが選択されていない場合はコピー用紙がＡ２のヨコが選択されているか否かをチェックする（ステップＣ−６）。Ａ２の頃が選択されていない場合はコピー用紙がＡ３のタテが選択されているか否かをチェックする。このようにして複写機１にて選択されているコピー用紙のサイズを判断した後、そのコピー用紙サイズに登録されている紙折り方式を実行する。なお、ステップＣ−７でコピー用紙がＡ３のタテでない場合は、コピー用紙が不定であり、その場合はコピー用紙を折らずにそのまま紙折り装置４側の上方に排紙する(ステップＣ−８）。
【００４１】
コピー用紙がＡ０のタテの場合、プログラムＮｏ．１のＡ０タテの紙折り方式を実行し（ステップＣ−９）、コピー用紙が８８０幅の場合はプログラムＮｏ．１の８８０幅の紙折り方式を実行する（ステップＣ−１０）。同様に、コピー用紙がＡ１のタテの場合はプログラムＮｏ．１のＡ１タテの紙折り方式を実行し（ステップＣ−１１）、コピー用紙がＡ１のヨコの場合はプログラムＮｏ．１のＡ１ヨコの紙折り方式を実行し（ステップＣ−１２）、コピー用紙がＡ２のタテの場合はプログラムＮｏ．１のＡ２タテの紙折り方式を実行し（ステップＣ−１３）、コピー用紙がＡ２のヨコの場合はプログラムＮｏ．１のＡ２ヨコの紙折り方式を実行し（ステップＣ−１４）、そしてコピー用紙がＡ３のタテの場合はプログラムＮｏ．１のＡ３タテの紙折り方式を実行する（ステップＣ−１５）。このようにして、紙折りを実行するが、これらの実行時には、設定されているスタンプ有り無し、スタンプ位置、綴じ代、縦横紙折り補正値、紙折り実行有無なども同時に実行される。
【００４２】
プログラムＮｏ．２が選択された場合は、図８のフローチャートが実行される。この場合も、プログラムＮｏ．１が選択された場合と同様に、ステップＤ−１ないしＤ−７により複写機１側のコピー用紙のサイズがＡ０タテ、８８０幅、Ａ１タテ、Ａ１ヨコ、Ａ２タテ、Ａ２ヨコあるいはＡ３タテであるかを判別し、ステップＤ−９ないしＤ−１５により、それぞれのコピー用紙サイズに対応したプログラムＮｏ．２の紙折り方式および各種補正値が反映実行される。また、コピー用紙が不定の場合は、プログラムＮｏ．１と同様に、コピー用紙は折らずにそのまま紙折り装置４側の上方に排紙する（ステップＤ−８）。
【００４３】
プログラムＮｏ．３が選択された場合は、図９のフローチャートが実行される。この場合も、プログラムＮｏ．１や２が選択された場合と同様に、ステップＥ−１ないしＥ−７により複写機１側のコピー用紙のサイズがＡ０タテ、８８０幅、Ａ１タテ、Ａ１ヨコ、Ａ２タテ、Ａ２ヨコあるいはＡ３タテであるかを判別し、ステップＥ−９ないしＥ−１５により、それぞれのコピー用紙サイズに対応したプログラムＮｏ．２の紙折り方式および各種補正値が反映実行される。また、コピー用紙が不定の場合は、プログラムＮｏ．１や２と同様に、折らずにそのまま紙折り装置４側の上方に排紙する（ステップＥ−８）。
【００４４】
このように本実施の形態においては、複写機本体と紙折り装置と各々の制御装置をオンラインで接続し、複写機側のコピー用紙サイズ情報に基づき、自動的にあらかじめプログラム入力されている紙折り方式を選択し紙折り装置側へ情報をオンラインにて通信し、紙折り装置に紙折りを実行させる制御を行うことによって、紙折り装置使用時のコピー生産性を最大限度まで発揮させ得るようにしている。
【００４５】
＜第２の実施形態＞
第２の実施形態に係る画像形成システムは、電源オフ時に消去される補正値をメモリに格納し、再設定することなく次回のオン時に使用するもので、図１の画像形成システムの機械的構成及び図２の電気的構成は第１の実施形態と同等なので重複する説明は省略する。
【００４６】
本実施形態における紙折り装置においても第１の実施形態と同様に選択されるコピー用紙サイズによって紙折り方式がそれぞれ異なる。その例を図１０及び図１１に示す。同図は、用紙サイズと、折りモード、ジグザグ補正値、ジグザグ補正ピッチ、クロス折り、クロス補正ピッチ、綴じ代、スタンプ、Ｘ，Ｙ方向のスタンプ位置補正などとの関係を示す図である。用紙の折りを設定するときは画面折り設定画面にて用紙サイズを決めた後、そのコピー用紙サイズでの可能な紙折り方式を１つ選択し、コピー動作を行う。
【００４７】
図１２は本実施形態における複写機１側の換作パネル１００の表示状態を示す正面図である。以下、図１２を参照して折り操作の繰作概要について説明する。
【００４８】
複写機１から折りモードを設定する際は換作パネル１００から各種パラメータを入力する。折り機設定画面モードに入ったときに、用紙サイズ表示部１０１に、選択されている給紙段と用紙方向によって決定される用紙サイズが表示される。選択給紙段と用紙方向による用紙サイズ以外のサイズは特殊折りサイズボタン１０４の押下により、サイズを決定する。１０２は排紙方向を決定するボタンである。紙折り処理を行わない場合は、上方排紙に設定すると、用紙が紙折り装置の上方に排出され、用紙は折られずにストックされる。スタンプ処理を有効にしたい場合はスタンプボタン１０７を押下することによりスタンプが有効になり、更にスタンプ位置の補正を行う場合は、位置補正ボタン１０８を押下し、スタンプ位置の補正を行う。その際、図１４のプラスマイナスボタン２０３，２０７、２０２，２０６により、上下方向、左右方向のスタンプ位置を補正することができる。
【００４９】
長尺折りボタン１０６、特殊折りボタン１０９を選択した場合、紙折り処理に他の紙折り方式に比べ時間がかかるために、紙折り装置への搬送蒔の紙間を２ｍ（例えば２倍）にする処理を施す。定型折りボタン１０３、長尺ボタン１０６、特殊折りボタン１０９をそれぞれ選択することにより、紙折りモードを設定することができる。このとき表示されている用紙サイズと、この折りモードの組み合わせにより紙折り方式ボタン１１０の表示種類パターンが自動的に識別され表示される。これは長尺ボタン１０６、特殊折りボタン１０９の処理も同様にコピー用紙サイズとの組み合わせにより紙折り方式ボタンの表示パターンが制御される。
【００５０】
紙折り用紙の長手方向のサイズを補正したい場合は、ジグザグボタン１１１を押下し、反転させて＋ボタン１１６、−ボタン１１５を押下することにより調整することができる。設定された値はジグザグ補正値表示部１１２に表示される。この際の設定範囲と設定刻み値は用紙サイズと紙折り方式ボタンの選択組み合わせにより自動的に制御されて設定範囲外の異常値を入力することを防ぐことができる。
【００５１】
一方、紙折り用紙の短手方向はクロスボタン１１３を押して設定する。更に、選択された紙折りモードが綴じ代の調整が可能である場合、＋ボタン１２０、−ボタン１１９によって綴じ代寸法を設定できる。なお設定された値はクロス折り補正値表示部１１４に表示される。また、符号１１７及び１２１はクリアキー、１８は綴じ代の補正値を示す表示部、５は手差しサイズ設定ボタンである。
【００５２】
コピー用紙サイズと紙折りモードの組み合わせによって、ジグザグ、クロス補正値及び綴じ代補正値が固定または調整不可のモードのときは繰作部表示から消去されて誤動作の原因となる不要な入力を防ぐ。用紙サイズとコピー折り方式の組み合わせによるジグザグ、クロス補正値、スタンプ位置補正値、補正の可否、各々の設定値、刻み値の一覧表は図１０及び図１１の紙折りモードと設定範囲一覧表通りであり、これら設定値、刻み値、補正可否が自動的に反映される。このときコピー用紙サイズと紙折り方式の組み合わせによりジグザク補正値、クロス補正値並びにスタンプ位置補正値を入力する。入力された補正値はコピー用紙が排紙ロから排出される時に複写機１側から紙折り機４側に図２のシリアルケーブル１０を介してデータ送信される。
【００５３】
データを受信した紙折り機４は図２のメモリ１３に各補正値を格納し、各折り補正、スタンプ位置補正を反映実行し、補正値を記憶する。複写機１並びに紙折り機４の電源がＯＦＦされ、再び双方に電源がオンされたときに電源オフされる以前のコピー用紙サイズと紙折り方式の組み合わせ画面で設定した全ての各補正値が紙折り機４側から複写機１側へ一括して送信される。それを複写機１側で再度記憶し、描画反映対象となるコピー用紙サイズ、紙折り方式が設定、選択されたときに以前入力したバックアップされている各補正値を表示する。
【００５４】
このときの動作を図１３のフローチャートに基づいて説明する。
【００５５】
この動作では、まず、図３の操作部１００の操作画面のコピー用紙サイズボタン１０１からコピー用紙サイズを設定し、図示しないフォルダーボタンを押して、紙折り方式選択画面に移行する。すなわち、ステップＦ−１〜Ｆ−７でコピー用紙のサイズが選択されると、選択されたコピー用紙のサイズと折りモードに対応する紙折り、スタンプ補正値がＣＰＵ７にロードされ、このときに用紙サイズと紙折りモードの組み合わせによる選訳可能な紙折り方式ボタン１０３，１０９，１１０，１１１，１１３を表示する。更に、紙折り方式ボタンが押下されたときに、その用紙サイズと紙折り方式ボタンの組み合わせにより、ジグザグ補正値、クロス補正値、綴じ代補正値の補正値範囲、設定刻み値を自動的に反映し、これら補正値を補正することができない場合には、表示をさせない処理を行う（ステップＦ−９〜Ｆ−１５）。
【００５６】
この状態での設定された各補正値はコピー用紙排出時に紙折り機４側へデータ送信されて紙折り機４のメモリ１３に登録される。登録後、複写機１、紙折り機４共に電源オフ／オン後、紙折り機４側から複写機１側へ各種補正値がデータ送信されて、複写機１側のメモリ８に登録されることになる。これにより複写機１に格納されている各補正値のデータと紙折り機４に格納されている各補正値データが同期するため、正確な紙折り補正が実行される。
【００５７】
図１４は、前にも触れたが、スタンプの位置補正画面２００を示す図で、図１２の位置補正ボタン１０８を押下すると、スタンプ位置を特定するための画面に変わる。ここの画面では、上下方向と左右方法の位置の補正が可能であり、補正値は補正値表示欄２０１，２０５に、補正入力は−ボタン２０２，２０６と＋ボタン２０３，２０７によって入力される。入力値のクリアはクリアボタン２０４，２０８によって行われる。
【００５８】
図１５はジグザグ折りを行う紙折り機４を示すもので、同図（ａ）は斜視図、同図（ｂ）複写機１から紙折り機４に用紙を受け入れる部分を示す要部拡大図である。同図（ａ）において、上部には用紙を載せるテーブルを有する給紙台３０１が設けられている。この給紙台３０１が開いているときには安全スイッチが設けられているので、スタートキー、強制排紙スイッチを押しても機械は始動しない。給紙台３０１の両側（用紙搬送方向と平行な側）に給紙ガイド３０２が設けられている。この給紙ガイドは、用紙を真っ直ぐに給紙台から送り出すためのもので、中心振り分けで左右連動して移動する。給紙台３０１の基部側には、給紙台移動レバー３０３が設けられている。この給紙台移動レバー３０３は、紙詰まり処理、下給紙圧、サバキ圧調整等で給紙台を移動させるときに使用する。用紙押さえ３０４は、給紙台に載せた用紙を押さえる機能を有し、先端紙押えコロ３０５は用紙を真っ直ぐに給紙台から送り出すためのコロで、全ての用紙の対して使用される。後端紙押えコロ３０６は、長尺用紙の後端を押さえて用紙を真っ直ぐに給紙台から送り出すためのコロで、長尺用紙を折るとときに使用する。先端紙押えコロ操作レバー３０７は、用紙を給紙台３０１に載せるときに、先端紙押えコロ３０５を上下させるレバーである。
【００５９】
また、操作部には、給紙ローラー解除ボタン３０８、強制排紙ボタン３０９、手動給紙レバー３１０、フォルダ操作パネル３１１及びフォルダ電源スイッチ１２が設けられている。給紙ローラ解除ボタン３０８は、スイッチを押している間、給紙ローラーが数秒間上昇する。給紙台にセットした用紙を挿入するときなどに使用する。強制排紙ボタン３０９はジグザグ折り部で紙詰まりが発生したときに、この強制排紙ボタンを押すと、ジグザグ折り部のみが作動し、用紙が排出される。給紙台、上給紙カバー、ブリッジカバーが開いているときには、強制排紙ボタン３０９を押しても機械は作動しないため、用紙の自動排出は行われることはない。また、長尺折りを行っているとき、ジグザグ折り動作中に強制排紙ボタン３０９と給紙ローラー解除ボタン３０８の両方を同時に押すと、ジグザグ折り動作を中止し用紙を排出する。手動給紙レバー３１０は、用紙を給紙台３０１に載せたとき、自動給紙状態でよりスムーズに１枚目の給紙を行うために使用され、手動給紙レバー３１０を引くと、用紙が少しだけ送り出される。手動給紙時にこのレバーを数回引いて用紙の先端がスイッチを押すと、機械が動作を開始する。フォルダ操作パネル３１１は、折りモード選択、処理枚数設定、折り寸法補正等の入力に使用され、フォルダ電源スイッチ３１２はオフラインで使用するとき「オン」にする。
【００６０】
図１５（ｂ）において、符号３１３はブリッジカバーであり、紙詰まり時にブリッジカバー３１３を開いて処理を行う。また、ブリッジ連結部３１４は、スキャナ、プリンタ部とオンラインで接続しているとき、プリンタ部から排出される用紙をジグザグ折り部に送る機能を有する。ブリッジ解除ボタン３１５はブリッジ連結部３１４を開いて用紙を取り除いた後など、ブリッジ連結部３１４を元に戻すときに押すようになっている。
【００６１】
図１６はクロス折りを行う紙折り機４を示すもので、同図（ａ）は斜視図、同図（ｂ），（ｃ），（ｄ）はそれぞれ搬送コロガイド板、強制排紙スイッチ、ガイドロール板を示す要部斜視図である。これらの図において、横搬送ユニット４０１は、ジグザグ折り部で折られた用紙束の移動方向を変え、クロス折り部に搬送する搬送ユニットである。クロス折り部での紙詰まり時には、横搬送ロック解除レバー４０５を引くことにより横搬送ユニット４０１が開き、紙詰まり処理を行うことができる。紙押さえコロ４０２は、排紙スタッカ４０３に排出された用紙を揃えるもので、「折りモード」によって紙押えコロ４０２の位置は自動的に調整される。排紙スタッカ４０３は、定形折り、特殊折りで折り上がった用紙が排出され、積載さえる部分である。
【００６２】
また、装置前面には、透明カバー４０４が設けられている。この透明カバー４０４は、長尺折りで折られた用紙を取り出すとき開放され、排出された用紙を横にスライドさせて取り出すことができるようになっている。また、ジグザグ折り部で紙詰まりが発生したときに強制排紙スイッチ４０７を押すと、横搬送ユニット４０１に用紙が排出されるが、この場合も、用紙を取り出す際には、この透明カバー４０４を開放する。同様に装置前面には、横搬送ロック解除レバー４０５が設けられ、この横搬送ロック解除レバー４０５を押すと、横搬送ユニット１が開く。  また、４０６はスタンプカバーであって、内部にスタンプが配置され、インクの補充やスタンプの交換などによりスタンプを取り外すときや、スタンプ部につまった用紙を取り除くときに開放する。
【００６３】
クロス折り部で紙詰まりが発生したときに横搬送ユニットを開いてジャム処理を行う必要がある。そのため、強制排紙スイッチ４０７が設けられている。クロス折り部で紙詰まりが発生したときに横搬送ユニットを開いて、この強制排紙スイッチ４０７を両方同時に押すと、クロス折り部のみが作動し、用紙が自動的に排出される。紙詰まり時、強制排紙スイッチ４０７を押しても用紙が排出されないときに、搬送コロガイド板４０８を開いて紙詰まり処理を行う。なお、装置右側には、ドアー４０９が設けられ、強制排紙スイッチ４０７を押す時や、クロス折り部に詰まった用紙を取り除くときに開放する。第１及び第２のガイドロール板４１０，４１１は、紙詰まり時、強制排紙スイッチ４０７を押しても用紙が排出されないときに、開放して紙詰まり処理を行う。
【００６４】
このように第２の実施形態によれば、刻み値、スタンプ押下の可否、スタンプ位置範囲などを電源オフする前の直近の設定値を自動的に引き出し、オペレータに対し、設定値の再入力をさせる必要が無いので、電源オフしたとき設定値リセット等により、クリアされ、クリアされたことを認識せずに紙折りを実行することによる紙折りの失敗を防ぐことができる。
【００６５】
また、一度入力すれば、バックアップされるので、多数存在する紙折り種類とコピー用紙サイズの組み合わせ毎に入力すべき、紙折り補正値、スタンプ補正値等の誤入力を防ぎ、設定の効率化が可能となる。
【００６６】
このことにより従来コピー用紙のサイズ変化する毎にコピー作業者が複写機より紙折り条件を入力する作業が省略され自動的に紙折りが実行されることにより複写機と紙折り装置をオンラインで接続し、複写機において作成されたコピーを紙折り装置で自動的に折り込みを行うように構成した装置において飛躍的なコピーと紙折りの生産性の増加が可能になる。
【００６７】
なお、特に説明しない各部は前述の第１の実施形態と同等に構成され、同等に機能する。
【００６８】
【発明の効果】
以上のように、本発明によれば、用紙のサイズに加え、紙折り方式、綴じ代、折り幅、スタンプ有無、スタンプ位置の少なくとも１つを含む紙折りの条件を記憶し、記憶された紙折りの条件に基づいて用紙を折らせるとともに、用紙が不定の場合、折り動作を禁止するので、任意の用紙サイズ及び原稿挿入方向に対して種々の条件を考慮した紙折りが自動的に行える。
【００６９】
また、本発明によれば、前記用紙を折らせるための制御手段が画像形成装置側に設けられているので、画像形成装置側の制御のみで任意のコピー用紙サイズに対して紙折り制御を行うことができる。
【００７０】
さらに、本発明によれば、電源オフ時前に設定された直近の補正値をバックアップするバックアップ手段を備え、次の電源オン時に前記バックアップされた補正値を反映させるので、コピー用紙折りモード設定時の各種補正値の設定入力時の時間短縮、及び処理効率の向上を図ることができる。
【図面の簡単な説明】
【図１】本発明の実施の形態に係る画像形成システムの全体構成を概略的に示す説明図である。
【図２】本発明の実施の形態に係る画像形成システムの電気的な概略構成を示すブロック図である。
【図３】コピー用紙サイズによる紙折り方式の種類の一例を表形式で示す図である。
【図４】コピー用紙サイズ毎に登録された紙折りモードを表形式で示す図である。
【図５】紙折りモードの設定手順を説明するためのフローチャートである。
【図６】どの紙折りモードが設定されているかを判断するためのフローチャートである。
【図７】プログラムＮｏ．１の紙折りモードが選択された場合の処理を説明するフローチャートである。
【図８】プログラムＮｏ．２の紙折りモードが選択された場合の処理を説明するフローチャートである。
【図９】プログラムＮｏ．３の紙折りモード３が選択された場合の処理を説明するフローチャートである。
【図１０】第２の実施形態における用紙サイズと、折りモード、ジグザグ補正値、ジグザグ補正ピッチ、クロス折り、クロス補正ピッチ、綴じ代、スタンプ、Ｘ，Ｙ方向のスタンプ位置補正などとの関係を示す図（その１）である。
【図１１】第２の実施形態における用紙サイズと、折りモード、ジグザグ補正値、ジグザグ補正ピッチ、クロス折り、クロス補正ピッチ、綴じ代、スタンプ、Ｘ，Ｙ方向のスタンプ位置補正などとの関係を示す図（その１）である。
【図１２】第２の実施形態における複写機側の換作パネルの表示状態を示す正面図である。
【図１３】第２の実施形態における用紙サイズと折りモードに対応する動作手順を示すフローチャートである。
【図１４】操作部のスタンプの位置補正画面の表示状態を示す正面図である。
【図１５】第２の実施形態に係るジグザグ折りを行う紙折り機を示す図である。
【図１６】第２の実施形態に係るクロス折りを行う紙折り機を示す図である。
【符号の説明】
１  複写機
２  ロール紙
３  定着装置
４  紙折り装置
５，１０  シリアルケーブル
６  操作部
７，１２  ＣＰＵ
８  メモリ
９，１１  シリアル通信ユニット
１００  操作パネル
１０１  用紙サイズ表示部
１０３  定型折りボタン
１０４  特殊サイズボタン
１０６  長尺折りボタン
１０７  スタンプ設定ボタン
１０８  スタンプ位置補正ボタン
１０９  特殊折りボタン
１１１  ジグザグ折り補正ボタン
１１２  ジグザグ補正値表示部
１１３  クロス折り補正ボタン
１１４  黒そり補正表示部
２００  スタンプの位置補正画面
【図１】
0004044448.tif 000002
【図２】
0004044448.tif 000003
【図３】
0004044448.tif 000004
【図４】
0004044448.tif 000005
【図５】
0004044448.tif 000006
【図６】
0004044448.tif 000007
【図７】
0004044448.tif 000008
【図８】
0004044448.tif 000009
【図９】
0004044448.tif 000010
【図１０】
0004044448.tif 000011
【図１１】
0004044448.tif 000012
【図１２】
0004044448.tif 000013
【図１３】
0004044448.tif 000014
【図１４】
0004044448.tif 000015
【図１５】
0004044448.tif 000016
【図１６】
0004044448.tif 000017